(57)【要約】【課題】部品を追加してカメラの質量を増加させることなくシャッターユニットが受けるエネルギーを減少させることができない。【解決手段】本発明にかかるデジタルカメラは、レンズマウントが設けられているミラーボックスと、ミラーボックスに結合され被写体を撮像し撮像信号を出力する撮像素子と、ミラーボックスに結合され撮像素子に被写体の像が露光される時間を制御する先幕および後幕とを備えるシャッターユニットと、シャッターユニットに粘弾性部材である両面テープを介して結合され、シャッターユニットの振動を減衰させる重量部材とを備え、重量部材はカメラに必須な部材である。【選択図】図２
2015161907.tif 000002
【特許請求の範囲】
【請求項１】
レンズマウントが設けられている本体構造部材と、
前記本体構造部材に結合され、被写体を撮像し撮像信号を出力する撮像素子と、
前記本体構造部材に結合され、前記撮像素子に前記被写体の像が露光される時間を制御するシャッター幕を備えるフォーカルプレーンシャッターユニットと、
前記フォーカルプレーンシャッターユニットに粘弾性部材を介して結合され、前記フォーカルプレーンシャッターユニットの振動を減衰させる減衰用重量部材とを備え、
前記減衰用重量部材はカメラに必須な部材であるデジタルカメラ。
【請求項２】
請求項１に記載のデジタルカメラにおいて、
前記被写体を照射するフラッシュと、
前記フラッシュに用いるコンデンサとをさらに備え、
前記減衰用重量部材が前記コンデンサであるデジタルカメラ。
【請求項３】
請求項１または２に記載のデジタルカメラにおいて、
前記フォーカルプレーンシャッターユニットが前記本体構造部材から片持ち状に支持されるデジタルカメラ。
【請求項４】
請求項３に記載のデジタルカメラにおいて、
前記減衰用重量部材は前記フォーカルプレーンシャッターユニットの自由端側に搭載されるデジタルカメラ。
【請求項５】
請求項１乃至４のいずれか１項に記載のデジタルカメラにおいて、
前記フォーカルプレーンシャッターユニットにはシャッター駆動機構が搭載され、
前記シャッター駆動機構はカメラ光軸を基準として前記減衰用重量部材とは逆側に搭載されるデジタルカメラ。
【請求項６】
請求項１乃至５のいずれか１項に記載のデジタルカメラにおいて、
前記フォーカルプレーンシャッターユニットが前記シャッター幕の走行空間を形成する被写体側の前板と前記撮像素子側の後板とを備え、前記前板から粘弾性部材を介して前記コンデンサまたは前記減衰用重量部材が結合されるデジタルカメラ。
【請求項７】
請求項１乃至６のいずれか１項に記載のデジタルカメラにおいて、
前記本体構造部材がミラーボックスを含むデジタルカメラ。
【請求項８】
請求項１乃至６のいずれか１項に記載のデジタルカメラにおいて、
前記本体構造部材は、クイックリターンミラーを備えることなく、被写体からの入射光を前記撮像素子に導く光路を備えるデジタルカメラ。
【発明の詳細な説明】
【技術分野】
【０００１】
本発明は、デジタルカメラに関する。
【背景技術】
【０００２】
デジタルカメラの高画素化により撮像素子の画素ピッチが短くなり、撮影時の撮像素子の動きが撮影画像へ与える影響が大きくなっている。撮影時に撮像素子が動く原因として、デジタルカメラを保持している手や身体の動きなどユーザに起因するものだけでなく、シャッターの機械的動作による振動などデジタルカメラの機構に起因するものがある。
特許文献１には、シャッターのベース部に錘を付加することによりシャッターの機械的動作による振動を低減する発明が開示されている。
【先行技術文献】
【特許文献】
【０００３】
【特許文献１】特開２０００−１８０９１４
【発明の概要】
【発明が解決しようとする課題】
【０００４】
特許文献１に記載のカメラでは、シャッターユニットに錘を直接付加することによりシャッターユニットが受ける加速度を減少させており、部品の追加によりカメラの質量が増加している。また、シャッターユニットが受けるエネルギーを減少させることができない。
【課題を解決するための手段】
【０００５】
請求項１に記載のデジタルカメラは、レンズマウントが設けられている本体構造部材と、本体構造部材に結合され、被写体を撮像し撮像信号を出力する撮像素子と、本体構造部材に結合され、撮像素子に被写体の像が露光される時間を制御するシャッター幕を備えるフォーカルプレーンシャッターユニットと、フォーカルプレーンシャッターユニットに粘弾性部材を介して結合され、フォーカルプレーンシャッターユニットの振動を減衰させる減衰用重量部材とを備え、減衰用重量部材はカメラに必須な部材である。
【発明の効果】
【０００６】
本発明によれば、カメラに必須の構成要素である重量部材および粘弾性部材のダッシュポット要素によりエネルギーを熱として消散させるようにしたので、部品を追加してカメラの質量を増加させることなくシャッターユニットが受けるエネルギーを減少させることができる。
【図面の簡単な説明】
【０００７】
【図１】実施の形態のデジタルカメラ内部の光路図
【図２】実施の形態のデジタルカメラ内部の斜視図
【図３】（ａ）は実施の形態のデジタルカメラの模式図、（ｂ）は従来例であるデジタルカメラの模式図
【図４】実施の形態のシャッターユニットに設けた支持部材を示す斜視図
【図５】本発明にかかるデジタルカメラのモデル図
【図６】図５およびのモデルにおける各部要素の物理量を表す図
【図７】従来例であるデジタルカメラのモデル図
【図８】図５および図７のモデルにおけるシャッターユニットの変位を示すシミュレーション結果を示す図
【図９】図５および図７のモデルにおける撮像素子ブラケットの変位を示すシミュレーション結果を示す図
【図１０】変形例である支持部材を示す図
【発明を実施するための形態】
【０００８】
以下、図１〜図９を参照して、本発明を適用したデジタルカメラの一実施形態を説明する。
【０００９】
図１は、一実施の形態のデジタルカメラ１の概略構成を示す断面図、図２は、そのデジタルカメラ１の内部構成の一部分の斜視図である。一実施の形態の一眼レフデジタルカメラ１は、フォーカルプレーンシャッターユニット（以下、シャッターユニット）１０と、撮像素子２０が搭載された撮像素子ブラケット２１を有する撮像装置２０Ｕと、ミラーボックス３０と、交換レンズ４０と、ペンタプリズム５０と、ビューファインダ６０と、フラッシュ７０とを備えている。図２では、これら内部構成部品を収容するカメラ筐体や外装部材は図示を省略している。
【００１０】
（ミラーボックス）
ミラーボックス３０はカメラ内部の主要構成部品の中心的な構造部材であり、図示しないカメラ筐体に取り付けられる。ミラーボックス３０は、入射光を撮像素子２０まで導く光路Ｌ２と、クイックリターンミラー３１で上方に導かれた被写体光をペンタプリズム５０に入射させるまでの光路Ｌ１を形成する暗箱である。ミラーボックス３０は、交換レンズ４０が装着されるレンズマウント３２と、レンズマウント３２を通過した被写体光をビューファインダ６０へ導くクイックリターンミラー３１とを備える。
【００１１】
光路Ｌ１は、不図示のレリーズボタンがユーザにより押されていないファインダ観察状態における光路である。光路Ｌ２は、不図示のレリーズボタンがユーザにより押された撮影状態における光路である。ファインダ観察状態では、クイックリターンミラー３１は図１に示す位置にあり、レンズマウント３２を通過した光は、光路Ｌ１のとおり、クイックリターンミラー３１によりペンタプリズム５０に導かれてビューファインダ６０に到達する。撮影状態では、クイックリターンミラー３１は図１に示す位置から上方に跳ね上がり、レンズマウント３２を通過した光は、光路Ｌ２のとおり、撮像素子２０に到達する。
【００１２】
ミラーボックス３０には、シャッターユニット１０および撮像素子ブラケット２１がネジにより結合される。ネジによる結合は、あるバネ定数を有するバネを間に挟んだ剛体結合と等価である。
図２を上から見た模式図である図３（ａ）では、シャッターユニット１０のミラーボックス３０へのネジによる結合をバネｋ２により模式化し、撮像素子ブラケット２１のミラーボックス３０へのネジによる結合をバネｋ３により模式化している。図３（ａ）からわかるように、カメラ前側である被写体側から順に、ミラーボックス３０、シャッターユニット１０および撮像素子ブラケット２１が配置され、レリーズボタン全押し操作により、ミラーボックス３０に入射した被写体光はシャッターユニット１０を通過して撮像素子ブラケット２１の撮像素子２０に入射する。
【００１３】
（シャッターユニット１０）
シャッターユニット１０は、撮像素子２０に被写体の像が露光される時間を制御する先幕１２および後幕１３と、先幕１２および後幕１３の走行空間を形成する前板１４および後板１５で構成されるシャッターブラケット１４Ａと、先幕１２および後幕１３を駆動するシャッター駆動機構１１と、前板１４の端部に連設されてメインコンデンサ１８を両面テープ１７により固定する支持部材１６とを備える。支持部材１６は、図４に示すように、シャッターユニット１０の前板１４を延伸する方向に形成されている。また、図３（ａ）に示すように、支持部材１６およびメインコンデンサ１８はシャッター幕走行空間１９を通過するカメラ光軸を基準として、シャッター駆動機構１１とは逆側に設置される。
被写体側の前板１４の剛性は撮像素子側の後板１５の剛性に比べて高い。図３（ａ）にも示されているように、シャッターユニット１０は、剛性の高い前板１４をミラーボックス３０にねじ結合することによりミラーボックス３０から片持ち状に支持されている。シャッターユニット１０は、シャッター駆動機構１１の側がミラーボックス３０から片持ち状に支持されており、メインコンデンサ１８は自由端側に設置されている。
【００１４】
前板１４の一端には、すなわち、図２および図３（ａ）では左端にはシャッター駆動機構１１が設置され、先幕１２および後幕１３は、シャッター駆動機構１１で駆動されるように前板１４に平行リンクで片持ち保持されている。
図２では、先幕１２がシャッター幕走行空間１９を覆い撮像素子２０への光を遮断しており、後幕１３は上部に折りたたまれて格納されている状態を示している。なお、後幕１３が収納されている位置をハッチングにより表している。
【００１５】
シャッター駆動機構１１は、不図示のバネおよび不図示のモータを備え、モータによりあらかじめバネを変形させて幕駆動力を蓄積させておき、そのバネを開放することにより先幕１２および後幕１３を高速に動作させる。すなわち、レリーズボタン全押し操作によりバネが開放されると、シャッター幕走行空間１９を先幕１２および後幕１３が上から下に走行する。そのため、先幕１２および後幕１３はその動作終了時に移動端に衝突して衝撃が生じる。その結果、シャッターユニットが振動してミラーボックス３０を介して撮像素子ブラケット２１に振動が伝播する。
【００１６】
メインコンデンサ１８は、フラッシュ７０に供給する電力を一時的に充電する役割だけでなく、詳しくは後に詳述するが、粘弾性部材である両面テープ１７と組み合わされて衝撃を緩和する役割も有する。そのために、被写体側からみて前板１４の右端、すなわちシャッター幕走行空間１９を通過するカメラ光軸を基準としてシャッター駆動機構１１とは逆側に取り付けられた支持部材１６に両面テープ１７によりメインコンデンサ１８が取り付けられている。
従来は、図３（ｂ）に示すように、ミラーボックス３０に取り付けられた支持部材１６ａを介して、粘弾性部材である両面テープ１７ａによりメインコンデンサ１８ａが固定されていた。
【００１７】
（撮像装置）
撮像装置２０Ｕは、撮像素子２０が搭載された撮像素子ブラケット２１を有する。上述したように撮像素子ブラケット２１はネジによりミラーボックス３０と接続されている。撮像素子ブラケット２１に固定された撮像素子２０は、ＣＭＯＳイメージセンサなどによって構成され、撮像面上に結像された被写体の像を撮像して撮像信号を出力する。撮像素子２０から出力された撮像信号は、不図示のＡ／Ｄ変換部においてアナログ信号からデジタル信号に変換され、不図示の不揮発性メモリに保存される。撮像素子２０に被写体の像が露光されるのは、シャッター幕走行空間１９を覆っている先幕１２が動作してから、後幕１３がシャッター幕走行空間１９を覆うまでの時間である。この露光中にユーザがデジタルカメラ１を保持している手を動かしたり、先幕１２および後幕１３の衝撃により撮像素子２０が動かされると、撮影画像にブレが生じる。
【００１８】
（カメラの動作）
ユーザがレリーズボタンを全押しすると、クイックリターンミラー３１が跳ね上げられるとともに、シャッターユニット１０のシャッター幕走行空間１９を覆っていた先幕１２が動作する。すなわち、レンズマウント３２を通過した光は撮像素子２０に到達し露光が開始される。先幕１２の動作から既定の時間が経過するとシャッター幕走行空間１９の上部に格納されていた後幕１３が動作してシャッター幕走行空間１９を覆い、露光が終了する。また、クイックリターンミラー３１が元の位置に戻り、レンズマウント３２を通過した光は再びビューファインダ６０に到達する。
【００１９】
先幕１２および後幕１３は、前述のようにシャッター駆動機構１１により、モータにより変形されたバネを開放することで動作され、動作終了時には移動端に衝突してシャッターユニット１０に衝撃が生じる。この衝撃は、ミラーボックス３０を介して撮像素子ブラケット２１に伝達され、撮像素子ブラケット２１の上に実装されている撮像素子２０も衝撃を受ける。露光中に、すなわち先幕１２の動作後で後幕１３の動作が終わる前に、先幕１２の衝突により生じた衝撃により撮像素子２０が衝撃を受けて移動、すなわち振動すると、撮像素子２０で記録される画像に像ブレが生じる。
【００２０】
（振動抑制動作）
そこで、本発明では以下のようにしてシャッター幕により発生する振動を抑制する。
メインコンデンサ１８はシャッターユニット１０に粘弾性部材である両面テープ１７を介して接続されている。衝撃のエネルギーは、一旦、メインコンデンサ１８の振動エネルギーに変換し、最終的には粘弾性部材である両面テープ１７のダッシュポット要素に熱として消散させる。ミラーボックス３０とシャッターユニット１０との結合、およびミラーボックス３０と撮像素子ブラケット２１との結合には、前述のとおりネジが使用されており、あるバネ定数を有するバネを間に挟んだ剛体結合と等価である。そのため、メインコンデンサ１８が接続される位置によって、粘弾性部材である両面テープ１７により熱として消散できるエネルギーの大きさが異なり、撮像素子２０の受ける振動の大きさも異なる。他の条件が一定であれば、粘弾性部材である両面テープ１７と衝撃の発生源との間には衝撃の分岐路や他のバネ要素が少ないほど、粘弾性部材により熱として消散できるエネルギーが多い。また、メインコンデンサ１８はシャッターユニット１０が片持ち状に固定されている場合には、メインコンデンサ１８を自由端側に取り付けることにより両面テープ１７により熱として消散できるエネルギーを増加させることができる。
【００２１】
本発明と従来例を比較するために、シャッターユニット１０に衝撃を入力した際の撮像素子２０が受ける振動の大きさをシミュレーションにより計算して比較する。
図５は本発明におけるデジタルカメラ１の構成を、バネ、およびダッシュポットを用いて表したモデル図である。ただし、撮像素子２０は撮像素子ブラケット２１と一体化しているとして、撮像素子ブラケット２１のみを記載している。また、支持部材１６および両面テープ１７の質量は無視している。
【００２２】
図５の構成要素を説明する。バネｋ１は粘弾性部材である両面テープ１７の弾性部をモデル化しており、バネｋ２およびバネｋ３は、ネジによる結合をモデル化している。バネｋ４は、デジタルカメラ１を接続した三脚をモデル化している。Ｐｒｏｂｅ１はシャッターユニット１０の変位を示し、Ｐｒｏｂｅ２は撮像素子２０と一体になっている撮像素子ブラケット２１の変位を示す。また、メインコンデンサ１８、シャッターユニット１０、ミラーボックス３０、および撮像素子ブラケット２１の重量、バネｋ１〜ｋ４のバネ定数、ダッシュポットμ１の粘性係数は図６に示すとおりである。
【００２３】
図３（ｂ）に示したように、従来はメインコンデンサ１８ａをミラーボックス３０に固定していた。図７は、従来例の構成を、バネ、およびダッシュポットを用いてモデル化したものである。図７の構成要素は図５の構成要素と全て同一であり、メインコンデンサ１８ａおよび両面テープ１７ａの接続箇所のみが異なる。
【００２４】
図８および図９は、時刻ｔ＝０．２５ｍｓに３０Ｎ／ｍｓのパルス状の衝撃をシャッターユニット１０に入力した場合のシミュレーション結果であり、Ｐｒｏｂｅ１および２における変位の計算値を示す。いずれも（ａ）は本発明の構成によるシミュレーション結果を、（ｂ）は従来例の構成によるシミュレーション結果を表している。図８および図９の全ての図において、横軸は時間を表しており単位は［ｍｓ］、縦軸は変位を表しており単位は［ｍｍ］である。
撮像素子２０と一体になっている撮像素子ブラケット２１の変位を示す図９では、本発明における変位の変動幅の大きさ、すなわち振幅が従来例に比べて減少しており、４［ｍｓ］以降の時刻では従来例の約半分に減少している。これは、振動源であるシャッターユニット１０の振動が、次のように従来例よりも小さくなっているからである。
【００２５】
シャッターユニット１０の変位を示す図８では、衝撃の入力から２［ｍｓ］まで時刻では本発明におけるシミュレーション結果の方が変位の変動幅である振幅が大きいが、時刻が２［ｍｓ］から４［ｍｓ］では本発明におけるシミュレーション結果の方が振幅が小さい。さらに、時刻４［ｍｓ］以降では本発明におけるシミュレーション結果の方が振幅が圧倒的に小さくなっている。
以上のシミュレーションの結果により、本発明により撮像素子２０がシャッターユニット１０の先幕１２および後幕１３の動作による受ける衝撃や振動を低減できることを示した。
【００２６】
本発明は、デジタルカメラ１の撮影時に撮像素子２０が振動する原因としてシャッターユニット１０の先幕１２および後幕１３の動作終了時の衝撃に着目した。そして、衝撃および振動の効果的な吸収のためには、発生源の近くでの吸収が重要と考え、シャッター幕走行空間１９を形成する前板１４に取り付けた支持部材１６に貼り付けた粘弾性部材、すなわち両面テープ１７により衝撃および振動のエネルギーを吸収した。
以上説明した第１の実施の形態によれば、以下の作用効果を奏する。
【００２７】
（１）一実施形態によるデジタルカメラ１は、レンズマウント３２が設けられているミラーボックス３０と、ミラーボックス３０に結合され被写体を撮像し撮像信号を出力する撮像素子２０と、ミラーボックス３０に結合され撮像素子２０に被写体の像が露光される時間を制御する先幕１２および後幕１３とを備えるシャッターユニット１０と、シャッターユニット１０に粘弾性部材である両面テープ１７を介して結合され、シャッターユニット１０の振動を減衰させる重量部材、すなわちメインコンデンサ１８とを備え、重量部材はデジタルカメラ１に必須な部材である。
デジタルカメラ１は、先幕１２および後幕１３の動作終了時に生じる衝撃のエネルギーの一部を、粘弾性部材である両面テープ１７およびこの両面テープに貼着されたメインコンデンサ１８、すなわちカメラに必須な構成要素により熱として消散させている。そのため、部品を追加してデジタルカメラ１の質量を増加させることなくシャッターユニット１０が受けるエネルギーを減少させ、撮像素子２０の受ける衝撃および振動を減少させることができる。特許文献１に記載のシャッターユニットでは、シャッターユニットの質量を増加させることにより、シャッターユニットが受ける加速度を減少させていたが、シャッターユニットが受けるエネルギーの総量は減少していなかった。これに対して一実施の形態のカメラでは、シャッターユニット１０が受けるエネルギーの一部を、メインコンデンサ１８を貼着している粘弾性部材のダッシュポット要素により熱として消散させ、シャッターユニット１０が受けるエネルギーの総量を減少させている。
【００２８】
従来は、図３（ｂ）に示すように、ミラーボックス３０に取り付けられた支持部材１６ａを介して、粘弾性部材である両面テープ１７ａによりメインコンデンサ１８ａが固定されていた。すなわち、重量物であるメインコンデンサ１８ａを振動抑制要素として利用していないので、シャッター幕の走行に伴う振動を抑制するためには、特許文献１に開示されているように振動抑制の目的にのみ供される錘が追加され、カメラの軽量化が損なわれていた。この点、一実施の形態のカメラでは軽量化を損ねることなく振動抑制を実現できる。
【００２９】
（２）一実施形態によるデジタルカメラ１は、被写体を照射するフラッシュ７０と、フラッシュ７０に用いるメインコンデンサ１８とをさらに備え、減衰用重量部材としてメインコンデンサ１８を用いている。
そのため、メインコンデンサ１８は、デジタルカメラ１を構成する部品では比較的質量が大きいため、質量が小さい部品を用いる場合よりも大きいエネルギーを消散させることができる。
（３）シャッターユニット１０はミラーボックス３０から片持ち状に支持されている。
そのため、シャッターユニット１０は両持ち状に支持されている場合よりも振動が生じやすく、本発明による振動のエネルギーを熱として消散させる効果が顕著に表れる。
【００３０】
（４）シャッターユニット１０にはシャッター駆動機構１１が搭載され、シャッター駆動機構１１はシャッター幕走行空間１９を通過するカメラ光軸を基準として減衰用重量部材であるメインコンデンサ１８とは逆側に搭載される。
そのため、シャッター駆動機構１１とメインコンデンサ１８とで衝撃が発生するシャッター幕走行空間１９を挟み込み、衝撃を減少させることができる。
（５）減衰用重量部材であるメインコンデンサ１８はシャッターユニット１０の自由端側に搭載される。
そのため、固定端に比べて自由端の方が衝撃および振動による変位が大きく、メインコンデンサ１８および両面テープ１７のダッシュポット要素により効率的にエネルギーを熱として消散させることができる。
【００３１】
（６）シャッターユニット１０がシャッター幕走行空間１９を形成する前板１４と後板１５とを備え、前板１４に接続された支持部材１６に貼りつけられた粘弾性部材である両面テープ１７を介してメインコンデンサ１８が結合される。剛性の高い前板１４をその基端側でミラーボックス３０にネジ結合し、前板１４の他端側にメインコンデンサ１８を貼着する支持部材１６を一体的に設けた。したがって、メインコンデンサ１８をシャッターユニット１０に貼着するための部材を新たに追加する必要が無く、部品点数の増加を伴うことなく、先幕１２と後幕１３の走行終了時の衝撃力によりシャッターユニット１０が振動することを効果的に抑制することができる。
【００３２】
（変形例１）
上述した実施の形態においては、メインコンデンサ１８の支持部材１６は、図２に示すようにシャッターユニット１０の前板１４を延伸する方向に形成されたが、支持部材１６の形成方向はこれに限定されない。支持部材１６は、図１０に示すように支持部材１６をシャッターユニット１０の前板１４から、カメラ光軸と平行に被写体側に突き出すように形成してもよい。ただし、図１０では支持部材１６および両面テープ１７を表示するために、メインコンデンサ１８は図示していない。メインコンデンサ１８は、両面テープ１７を挟んで支持部材１６とは反対側、すなわち図１０の右側に、支持部材１６の丸い窪みに沿うように配置される。また、支持部材１６はレンズマウント３２を通過した光が撮像素子２０へ到達する通路に隣接し、支持部材１６はレンズマウント３２を通過していない光が撮像素子２０へ到達することを遮断する、いわゆる暗箱の一部を構成してもよい。
この変形例１によれば、ミラーボックス３０により形成される暗箱の一部をメインコンデンサ１８の支持部材１６が兼ねるため、ミラーボックス３０の材料を削減することができる。また、メインコンデンサ１８が粘弾性部材である両面テープ１７を介してシャッターユニット１０に結合されている点は上述した実施の形態と同様なので、撮像素子２０の振動を減衰する効果には影響を与えない。
【００３３】
（変形例２）
上述した実施の形態においては、シャッターユニット１０は、先幕１２と後幕１３とを備え、それらの動作により生じた衝撃および振動をメインコンデンサ１８および両面テープ１７により吸収していたが、シャッターユニット１０の構成はこれに限定されない。たとえば撮像素子２０が、所定のタイミングで撮像素子２０に蓄積されていた電荷をリセットできる電子先幕機能を備え、これを先幕１２の代わりとし、後幕１３の動作により生じた衝撃および振動をメインコンデンサ１８および両面テープ１７により吸収してもよい。
後幕１３の動作を原因とする衝撃は露光終了後にしか発生しないので、１回の撮影に注目すると後幕１３による衝撃は撮影画像へ影響を与えない。しかし、後幕１３による衝撃および振動が減衰する期間よりも短い間隔で連続して撮影する場合には、後幕１３の動作により露光中の撮像素子２０が振動し、撮像素子２０で記録される画像に像ブレが生じる。変形例２のデジタルカメラによれば、上述した実施の形態と同様に、メインコンデンサ１８および両面テープ１７により後幕１３の動作により生じた衝撃および振動を吸収し、撮像素子２０で記録される画像に生じる像ブレを軽減することができる。
【００３４】
（変形例３）
上述した実施の形態においては、デジタルカメラ１はミラーボックス３０が中心的な構造部材であったが、デジタルカメラ１の構成はこれに限定されない。ミラーボックス３０およびクイックリターンミラー３１を備えず、被写体からの入射光を撮像素子２０に導く光路を備え、レンズマウント３２に結合されたボディまたはカバーに、シャッターユニット１０および撮像素子ブラケット２１が結合されていてもよい。
この変形例３のミラーボックス３０を備えず筐体の小さいデジタルカメラ、たとえば、ミラーレスカメラと呼ばれるデジタル一眼レフカメラにも本発明を適用することができる。
【００３５】
（変形例４）
上述した実施の形態においては、シャッターユニット１０の先幕１２および後幕１３の走行停止時に生じる衝撃の緩和、およびその衝撃に起因する撮像素子２０の振動を抑制するために、減衰用重量部材としてメインコンデンサ１８を利用したがこれに限定されない。デジタルカメラ１内部のその他の重量部材、たとえば、デジタルカメラ１の電気回路に電力を供給する取り外し不能のバッテリーを、減衰用重量部材として、粘弾性部材である両面テープ１７を介してシャッターユニット１０に結合してもよい。
さらに、デジタルカメラ１の内部に取り外し不能のバッテリーを複数搭載し、所望の重量に近くなるように、その一部のバッテリーのみをシャッターユニット１０に粘弾性部材である両面テープ１７を介して結合してもよい。
【００３６】
この変形例４によれば、以下の作用効果を奏する。
（１）変形例４によるデジタルカメラ１では、シャッターユニット１０の振動を減衰させるメインコンデンサ１８に代え、カメラに実装された取り外し不能なバッテリーを用いる。メインコンデンサ１８の質量よりもバッテリーの質量が大きいため、衝撃の緩和および振動の抑制がより効果的になる。また、バッテリーを複数搭載しシャッターユニット１０に結合させるバッテリーを選択することができる。
【００３７】
上述した実施の形態および変形例は、それぞれ組み合わせてもよい。さらに、本発明の特徴的な機能を損なわない限り、本発明は、上述した実施の形態における機器構成に何ら限定されない。
【符号の説明】
【００３８】
１０…シャッターユニット、      １１…シャッター駆動機構
１２…先幕、                    １３…後幕
１４…前板、                    １５…後板
１６…支持部材、                １７…両面テープ
１８…メインコンデンサ、        １９…シャッター幕走行空間
２０…撮像素子、                ２０Ｕ…撮影装置
２１…撮像素子ブラケット、      ３０…ミラーボックス
３１…クイックリターンミラー、  ３２…レンズマウント
４０…交換レンズ、              ５０…ペンタプリズム
６０…ビューファインダ、        ７０…フラッシュ
【図１】
2015161907.tif 000003
【図２】
2015161907.tif 000004
【図３】
2015161907.tif 000005
【図４】
2015161907.tif 000006
【図５】
2015161907.tif 000007
【図６】
2015161907.tif 000008
【図７】
2015161907.tif 000009
【図８】
2015161907.tif 000010
【図９】
2015161907.tif 000011
【図１０】
2015161907.tif 000012